(57)【要約】【課題】外脚と内脚との互いの摺動面の隙間や摺動抵抗を最適に調整して、内脚を安定的に、かつ円滑に昇降させる。【解決手段】外脚の上端部に、内脚６、７が挿通された筒状のスリーブ３７ａと、このスリーブ３７ａの内面に、内方への突出量を調整可能として装着され、かつ内面が内脚６、７の外周面に摺接するようにした１対の可動スライダ４２、４２とを備える案内部材３７を、スリーブ３７ａが外脚の上端部に内嵌されるようにして取付ける。【選択図】図６
2008029563.tif 000002
【特許請求の範囲】
【請求項１】
筒状の外脚と、この外脚に上下に移動可能に内嵌され、昇降機構により昇降させられる内脚とを備える上下に伸縮可能な家具の脚体において、
前記外脚の上端部に、前記内脚が挿通された筒状のスリーブと、このスリーブの内面に、内方への突出量を調整可能として装着され、かつ内面が前記内脚の外周面に摺接するようにした可動スライダとを備える案内部材を、前記スリーブが外脚の上端部に内嵌されるようにして取付けたことを特徴とする家具の脚体。
【請求項２】
スリーブに内外方向を向くめねじ孔を穿設し、このめねじ孔に外方より螺合したねじの内端をもって、可動スライダを内方に押動することにより、可動スライダの内方への突出量を調整しうるようにした請求項１記載の家具の脚体。
【請求項３】
可動スライダの外側面におねじを突設し、このおねじを、スリーブに穿設しためねじ孔に内方より螺合し、かつスリーブの外方より回動することにより、可動スライダの内方への突出量を調整しうるようにした請求項１記載の家具の脚体。
【請求項４】
スリーブの上端に、外脚中央の中空孔を除いた上面を覆いうる大きさの水平かつ鍔状のカバー片を外向きに突設し、このカバー片を、スリーブを外脚に内嵌した状態で、外脚の上面にボルトにより固定してなる請求項１〜３のいずれかに記載の家具の脚体。
【請求項５】
外脚及び内脚が角筒状をなすものにおいて、角筒状としたスリーブの前後の対向面に可動スライダを、かつ左右の対向面に、内脚の左右の外周面に常時摺接する固定スライダを、それぞれ設けてなる請求項１〜４のいずれかに記載の家具の脚体。
【請求項６】
内脚の下端部の外周面に、外脚の内面に常時摺接する少なくとも１対の固定スライダを、対向状に設けてなる請求項１〜５のいずれかに記載の家具の脚体。
【請求項７】
可動スライダ及び固定スライダを、摩擦抵抗の小さな合成樹脂により形成してなる請求項１〜６のいずれかに記載の家具の脚体。
【発明の詳細な説明】
【技術分野】
【０００１】
本発明は、例えば天板昇降式のテーブル等の家具に用いられる上下に伸縮可能な脚体に関する。
【背景技術】
【０００２】
天板昇降式のテーブル等においては、天板の高さを、使用者の体格や作業内容等に合わせて調節し、快適な作業環境を形成しうるという利点がある。
このような家具に用いられる脚体は、床面に接床する不動かつ筒状の外脚と、これに摺動可能に内嵌された、天板等を支持する内脚と、この内脚を昇降させるねじ移動式の昇降機構とを備えているものが多い（例えば特許文献１及び２参照）。
【特許文献１】特開２００１−１２８７４４号公報
【特許文献２】特開２００３−１２５８４９号公報
【発明の開示】
【発明が解決しようとする課題】
【０００３】
上記のように、外脚に内嵌された内脚を昇降させて、天板等の高さを調節しうるようにした脚体においては、内脚を、ぐらつきを防止しながら昇降させ、天板がどの高さにあっても、これを脚体により、安定して支持しうるようにすることが重要である。また、内脚を抵抗なく円滑に昇降させるために、外脚との摺動抵抗を最適なものとする必要がある。
【０００４】
そのためには、外脚と内脚との互いの摺動面に隙間が形成されるのを防止するとともに、互いの摺動面の圧接力を、最適なものとしなければならない。
【０００５】
上記特許文献１及び２に記載されている脚体においては、いずれも、外脚に、内脚を摺動可能に案内する案内部材（密接部材及び摺動スリーブ）を固定的に取付けてあるので、外脚の内径や内脚の外径が、製造誤差等により狂いが生じると、案内部材と内脚との間に隙間が形成されて、がたが発生したり、摺動抵抗が大きくなったりする恐れがある。
また、このような隙間や摺動抵抗を、脚体の組立時、又は長時間使用した後において、調整することもできない。
【０００６】
このような問題が生じるのを防止するためには、外脚及び内脚を、寸法誤差が発生しないように、高い加工精度で製造すればよいが、このようにすると、製造コストが嵩み、脚体は高価となる。
【０００７】
本発明は、上記問題点に鑑みてなされたもので、外脚及び内脚に高い加工精度を要求することなく、それらの互いの摺動面の隙間や摺動抵抗を、組立時や長期間の使用後において最適に調整しうるようにし、内脚を安定的に、かつ円滑に昇降させうるようにした安価な家具の脚体を提供することを目的としている。
【課題を解決するための手段】
【０００８】
本発明によると、上記課題は、次のようにして解決される。
（１）筒状の外脚と、この外脚に上下に移動可能に内嵌され、昇降機構により昇降させられる内脚とを備える上下に伸縮可能な家具の脚体において、前記外脚の上端部に、前記内脚が挿通された筒状のスリーブと、このスリーブの内面に、内方への突出量を調整可能として装着され、かつ内面が前記内脚の外周面に摺接するようにした可動スライダとを備える案内部材を、前記スリーブが外脚の上端部に内嵌されるようにして取付ける。
【０００９】
（２）上記(１)項において、スリーブに内外方向を向くめねじ孔を穿設し、このめねじ孔に外方より螺合したねじの内端をもって、可動スライダを内方に押動することにより、可動スライダの内方への突出量を調整しうるようにする。
【００１０】
（３）上記(１)項において、可動スライダの外側面におねじを突設し、このおねじを、スリーブに穿設しためねじ孔に内方より螺合し、かつスリーブの外方より回動することにより、可動スライダの内方への突出量を調整しうるようにする。
【００１１】
（４）上記(１)〜(３)項のいずれかにおいて、スリーブの上端に、外脚中央の中空孔を除いた上面を覆いうる大きさの水平かつ鍔状のカバー片を外向きに突設し、このカバー片を、スリーブを外脚に内嵌した状態で、外脚の上面にボルトにより固定する。
【００１２】
（５）上記(１)〜(４)項のいずれかにおいて、外脚及び内脚が角筒状をなすものにおいて、角筒状としたスリーブの前後の対向面に可動スライダを、かつ左右の対向面に、内脚の左右の外周面に常時摺接する固定スライダを、それぞれ設ける。
【００１３】
（６）上記(１)〜(５)項のいずれかにおいて、内脚の下端部の外周面に、外脚の内面に常時摺接する少なくとも１対の固定スライダを、対向状に設ける。
【００１４】
（７）上記(１)〜(６)項のいずれかにおいて、可動スライダ及び固定スライダを、摩擦抵抗の小さな合成樹脂により形成する。
【発明の効果】
【００１５】
請求項１記載の発明によれば、外脚の上端部に取付けた案内部材における筒状スリーブの内面に、可動スライダを設け、この可動スライダを内脚側に移動させることにより、外脚と内脚との間の隙間や圧接力及び互いの摺動面の摺動抵抗を最適に調整することができ、内脚は外脚に対し安定的に、かつ円滑に昇降しうるようになる。
【００１６】
また長期間の使用により、互いの摺動面が摩耗した際にも、外脚や内脚を交換したりすることなく、可動スライダを内方に移動させるのみで、簡単に対処することができる。
さらに、外脚や内脚を、高い加工精度をもって製造する必要がないので、コスト低減が図れ、安価な脚体を提供することができる。
【００１７】
請求項２記載の発明によれば、可動スライダを、ねじの回動操作のみで、簡単に内方に押動しうるので、調整作業や微調整が容易となる。
【００１８】
請求項３記載の発明によれば、おねじの回動操作のみで、それと一体をなす可動スライダを内方に簡単に移動しうるので、上記と同様、調整作業や微調整が容易となる。また、おねじは、可動スライダと一体をなしているので、部品点数を削減しうる。
【００１９】
請求項４記載の発明によれば、外脚の上端面が、カバー片により体裁よく覆われるとともに、外脚の外周面に、案内部材を取付けるための加工や、調整用ねじが螺合するめねじ孔等の加工を施す必要がなく、脚体の見栄えが向上する。
【００２０】
請求項５記載の発明によれば、角筒状をなす左右１対の脚体における内脚により、例えばテーブルの天板を支持するようなとき、内脚は前後方向にぐらつき易くなるが、この前後方向のぐらつきは、前後の可動スライダにより防止しうるとともに、摺動抵抗も最適に調整することができる。しかも、左右の固定スライダは内脚の左右の外周面に常時摺接しているので、内脚及びそれにより支持された天板を、安定して昇降させることができる。
【００２１】
請求項６記載の発明によれば、内脚の上端部は、可動スライダに摺接し、かつ下端部は、固定スライダを介して外脚の内面に摺接しているので、内脚をより安定して昇降させることができ、特に、上限位置付近まで上昇した際のぐらつきが防止される。
【００２２】
請求項７記載の発明によれば、内脚の摺動抵抗が小さくなるので、昇降機構に加わる負荷が軽減されるとともに、内脚を、より円滑に昇降させることができる。
【発明を実施するための最良の形態】
【００２３】
以下、本発明の実施形態を、図面に基づいて説明する。
図１は、本発明を適用したテーブルの斜視図で、このテーブルは、左右１対の脚体(１)(１)と、それらの対向面同士を連結している前後（以下、図１の斜め右下方を前として説明する）２枚の連結板(２)(２)と、両脚体(１)の上端に高さ調節可能に支持された天板(３)とを備えている。
【００２４】
左右の脚体(１)は、図２の分解斜視図にも示すように（左右同一構造につき、一方のみ図示する）、下端の前後方向を向くベース脚(４)(４)の中央より起立する、前後方向に幅広で、上下両端が開口する角筒状をなすスチール等の外脚(５)と、この外脚(５)に上下に移動可能に嵌挿される、上下両端が開口された角筒状をなすアルミニウム合金等の中間内脚(６)と、この中間内脚(６)に上下に昇降可能に嵌挿される、上下両端が開口された角筒状をなすアルミニウム合金等の内脚(７)とを備え、外脚(５)、中間内脚(６)、及び内脚(７)の前後両端部に形成された厚肉部(８)の上端部には、それぞれ、上下方向を向く前後１対ずつのめねじ孔(９)(９)が穿設されている。
【００２５】
内脚(７)の上端には、前後方向を向き、かつ中央部に方形の有底孔(10)を有する天板支持部材(11)の中央部下面が、有底孔(10)より挿入した前後２本のボルト(12)(12)を、内脚(７)の上端のめねじ孔(９)に螺合することにより、固定されている。(13)(13)は、左右の天板支持部材(11)の対向面同士を連結している前後１対の天板支持杆である。
【００２６】
中間内脚(６)及び内脚(７)の下端部の前後両面には、図３に拡大して示すように（内脚については同一構造につき、図示略）、外面に上下方向を向く凹凸条を有する平板状の固定スライダ(14)(14)が、それらの対向面に突設された上下２つ割れ弾性突部(15)(15)を、中間内脚(６)の前後両面に穿設された嵌合孔(16)(16)に圧嵌することにより、取付けられている。
【００２７】
また、同じく左右両側面の下端部の前後両端部には、外面が平坦面をなす前後２個ずつの固定スライダ(17)(17)が、それらの対向面に突設された弾性突部(18)を、左右両側面の嵌合孔(19)(19)に圧嵌することにより、取付けられている。
【００２８】
上記各固定スライダ(14)(17)は、摩擦抵抗の小さな硬質合成樹脂、例えばポリアセタール等により形成され、かつそれらの外面は、外脚(５)及び中間内脚(６)の中空孔内において、前後左右の内面に上下に摺動可能に摺接しうるようになっている。
【００２９】
中間内脚(６)及び内脚(７)の前後両面における上下方向の中央よりもやや下方寄りに形成されためねじ孔(20)（内脚については図示略）には、前後１対のボルト(21)(21)が螺着され、その頭部は、中間内脚(６)及び内脚(７)を上限位置で停止させる上限用ストッパ突部として機能する（詳細は後述する）。なお、ボルト(21)の頭部の前後寸法は、外脚(５)及び中間内脚(６)の内面と摺接しないように、固定スライダ(14)の板厚よりも若干小としてある。
【００３０】
図８に示すように、外脚(５)と中間内脚(６)内の下端における前後に対向する内面には、それぞれ、中間内脚(６)と内脚(７)の前後の固定スライダ(14)(14)の下端が当接することにより、それら両脚(６)(７)を下限位置で停止させる下限用ストッパ突部(22)(22)が、内向きに突設されている。なお、このストッパ突部(22)には、固定スライダ(14)の代わりに、中間内脚(６)及び内脚(７)の下端を直接当接させてもよい。
【００３１】
図３及び図８に示すように、中間内脚(６)内の下端部と、ベース脚(４)(４)の下面に固着された閉塞板(23)との間には、引張りコイルばね(24)が、その下端を閉塞板(23)に設けた係止孔(25)に係止するとともに、上端を、中間内脚(６)の下部中央に挿通され、その内方の側壁のめねじ孔に先端部が螺合された左右方向を向く係止ボルト(26)の環状溝(26a)に係止することにより、中間内脚(６)を常時下向きに付勢するようにして張設されている。
【００３２】
内脚(７)の左右の側壁における下端部の中央部には、係止ボルト(26)に上方より嵌合可能な、下方に開口する長孔(27)が形成され、内脚(７)が係止ボルト(26)と干渉することなく、下限まで移動しうるようにしてある。
【００３３】
図２において、(28)は、左右の脚体(１)の昇降機構で、外脚(５)よりも長寸の上下方向を向く角筒状のめねじ杆(29)と、その内部の上下方向をめねじ（図示略）に螺合された、めねじ杆(29)とほぼ等長をなすねじ軸(30)と、このねじ軸(30)の上端に取付けた箱形ケース状の回転駆動部(31)内に収容され、ねじ軸(30)と一体をなして回転する従動ベベルギヤ(32)（図８参照）と、この従動ベベルギヤ(32)と噛合する、左右方向を向く軸回りに回転する駆動ベベルギヤ(33)（図８参照）とからなる公知のねじ移動式のものよりなっている。
【００３４】
昇降機構(28)は、天板支持部材(11)の有底孔(10)の上方より、内脚(７)、中間内脚(６)及び外脚(５)の内部のやや前方寄りに嵌挿され、閉塞板(23)の上面に当接させためねじ杆(29)の下端が、閉塞板(23)の下方より挿入した止めねじ(34)により固定されている（図８参照）。この固定時において、めねじ杆(29)の上端部は、脚体(１)の所要の昇降ストロークを確保するために、外脚(５)の上端よりも若干上方に位置するようにしてある（図８参照）。
【００３５】
昇降機構(28)の回転駆動部(31)は、天板支持部材(11)の有底孔(10)内に、その外側方より挿入した２本の止めねじ(35)(35)により固定されている。
【００３６】
(36)は、左右の昇降機構(28)の駆動ベベルギヤ(33)に連結される駆動軸で、この駆動軸(36)をモータもしくは操作ハンドル（いずれも図示略）により回転させることにより、左右の昇降機構(28)のねじ軸(30)は、駆動ベベルギヤ(33)と従動ベベルギヤ(32)を介して、同期して回転させられるようになっている。
これにより、左右のねじ軸(30)は、めねじ杆(29)に対し同期して上下方向に移動し、天板(３)の高さが調節されるようになる。
【００３７】
外脚(５)と中間内脚(６)との上端には、図２及び図８に示すように、中間内脚(６)と内脚(７)がそれぞれ挿通され、それらの上部寄りを摺動可能に保持して案内する合成樹脂製の案内部材(37)(37)が取付けられている。
【００３８】
両案内部材(37)は、大きさが異なるのみで同一構造をなし、図４〜図６に示すように、上下両面が開口された、外脚(５)及び中間内脚(６)の中空孔内に嵌合可能な前後方向に長い角筒状のスリーブ(37a)と、その上端の開口縁に連設された、外脚(５)及び中間内脚(６)の上面の中空孔を除いた外周部を覆いうる水平鍔状のカバー片(37b)とを備えている。
【００３９】
スリーブ(37a)の前後の外面の中央部には、上下方向を向く突条(38)が形成され、またそれと対応するスリーブ(37a)の内面には、上下方向を向く凹条(39)が形成されている。なお、スリーブ(37a)の下端は、上記ボルト(21)の頭部が当接することにより、中間内脚(６)及び内脚(７)を上限位置で停止させるストッパを兼ねている。
【００４０】
前後の突条(38)には、上下２個のめねじ孔(40)と、それらの間の中央部に、通孔(41)とが、内外に貫通させて穿設されている。
【００４１】
スリーブ(37a)の前後の内面には、上下方向を向く平板状の可動スライダ(42)(42)が、その外面中央の上下方向を向く突条(42a)を、上記凹条(39)に内方より嵌合するとともに、突条(42a)の中央部の２つ割れ弾性突片(43)を、上記通孔(41)に嵌合することにより、内外方向に移動しうるように取付けられている。
【００４２】
可動スライダ(42)は、摩擦抵抗の小さな硬質合成樹脂、例えばポリアセタール等により成形されている。
【００４３】
可動スライダ(42)の突条(42a)の上下両端部におけるスリーブ(37a)のめねじ孔(40)と対応する位置には、有底の凹孔(44)(44)が形成され、この両凹孔(44)に、上下のめねじ孔(40)に螺合した六角孔付きねじ(45)(45)の先端を突入させることにより、可動スライダ(42)を内方に押動させることができる。
【００４４】
すなわち、図７に示すように、中間内脚(６)及び内脚(７)に案内部材(37)を嵌合したのち、ねじ(45)を締め込み、両可動スライダ(42)を内方に押動することにより、両可動スライダ(42)の内面と、中間内脚(６)及び内脚(７)の前後の外面との間の隙間や圧接力を微調整することが可能となり、これにより、中間内脚(６)及び内脚(７)の前後方向へのぐらつきを防止したり、摺動抵抗を最適なものとして、両脚(６)(７)を安定的に、かつ円滑に昇降させうるようになる。
【００４５】
スリーブ(37a)の左右の側片に穿設された前後２個ずつの通孔(46)(46)には、内側面が平坦面をなす円板状の固定スライダ(47)(47)が、その外側面の複数の弾性突片(47a)を、スリーブ(37a)内より通孔(46)に圧嵌することにより、取付けられている。各固定スライダ(47)の取付部の内面には、側面視下向Ｕ字状の凹部(48)が形成され、固定スライダ(47)が内方に大きく突出しないようにしてある。
【００４６】
固定スライダ(47)は、上記可動スライダ(42)と同様、摩擦抵抗の小さなポリアセタール等により形成され、４個の固定スライダ(47)の内側面に、中間内脚(６)及び内脚(７)の外側面が摺接して円滑に昇降しうるようになっている。
【００４７】
図２に示すように、中間内脚(６)及び内脚(７)を案内する上下の案内部材(37)は、そのスリーブ(37a)を両脚(６)(７)の内部に上方より嵌合したのち、カバー片(37b)の前後のテーパ状の取付孔(49)(49)に挿入した皿ねじ(50)を、両脚(６)(７)の前後の上端に設けためねじ孔(９)に螺合することにより、両脚(６)(７)の上端部に固定されている。
【００４８】
次に、図８〜図１０を参照して、脚体(１)伸縮時の作用について説明する。
図８は、昇降機構(28)の非作動時、すなわち天板(３)の高さが下限に位置しているときの一部切欠縦断側面図を示すもので、この状態においては、中間内脚(６)と内脚(７)は、それぞれ引張りコイルばね(24)のばね力、及び天板(３)の荷重により、外脚(５)内において下限に位置しており、脚体(１)の上下寸法は最小となっている。
【００４９】
この状態において、昇降機構(28)の駆動ベベルギヤ(33)及び従動ベベルギヤ(32)が作動すると、図９に示すように、めねじ杆(29)に対し、それに螺合しているねじ軸(30)が上方に移動することにより、ねじ軸(30)の上端に固着された天板支持部材(11)、天板(３)、及び天板支持部材(11)に上端が固定された内脚(７)が、一体をなしてまず上昇する。
この際、中間内脚(６)は、引張りコイルばね(24)により下方に付勢されているので、上昇することはない。
【００５０】
内脚(７)が上限位置、すなわち、その前後両面のボルト(21)の頭部が、中間内脚(６)の上端に取付けた案内部材(37)の下端と当接する位置まで上昇すると、図１０に示すように、中間内脚(６)が、引張りコイルばね(24)を伸長させながら、内脚(７)と共に上昇し、中間内脚(６)の前後両面のボルト(21)の頭部が、外脚(５)の上端に取付けた案内部材(37)の下端と当接する上限位置で停止する。
【００５１】
これにより、天板(３)の高さは最上位となる。
なお、図１０の状態から昇降機構(28)を逆転させ、天板(３)を下降させると、まず、引張りコイルばね(24)により下向きに付勢されている中間内脚(６)が外脚(５)内に収容され、ついで内脚(７)が中間内脚(６)内に収容される。
【００５２】
以上説明したように、上記実施形態の脚体の伸縮構造においては、脚体(１)は、不動の外脚(５)に内嵌された中間内脚(６)と、この中間内脚(６)に内嵌された、天板(３)支持用の内脚(７)との２段の入れ子状としているため、大きな昇降ストロークを確保することができ、天板(３)の上限の高さを大とすることができる。
【００５３】
また、第１段階では、中間内脚(６)の上昇は停止され、内脚(７)のみが上昇するようになっているため、摺動面の摺動抵抗が小さくなるとともに、脚体(１)及び天板(３)の高さをあまり高くする必要のないときには、従来のように、脚体(１)の外周面に上下２段の段差が形成されることがなく、体裁がよくなる。
【００５４】
さらに、内脚(７)が一定の高さまで上昇すると、それと連動して中間内脚(６)も上昇するので、複雑な構造のねじ移動式の昇降機構を用いる必要はなく、脚体(１)を小型化（薄型化）しうるとともに、コスト低減も図れる。
【００５５】
中間内脚(６)及び内脚(７)は、案内部材(37)に設けた前後位置調整可能な１対の可動スライダ(42)により、最適な圧接力及び摺動抵抗となるように調整されて昇降するので、特に、両脚(６)(７)を上限位置付近まで上昇させた際でも、脚体(１)は安定し、かつ伸縮運動が円滑となる。
【００５６】
なお、上記中間内脚(６)を常時下向きに付勢する手段は、引張りコイルばね(24)に代えて、ワイヤ等により吊り下げたおもり、又は中間内脚(６)の下端部に固定したおもり等とすることもある。
【００５７】
図１１は、案内部材(37)における可動スライダ(42)の変形例を示すもので、スリーブ(37a)内において回転可能な大きさとした可動スライダ(51)の外側面の中央部に、おねじ(52)を一体的に突設し、このおねじ(52)を、スリーブ(37a)の前後に貫設しためねじ孔(53)に内方より螺合したものである。
【００５８】
可動スライダ(51)を、中間内脚(６)及び内脚(７)に圧接する際には、おねじ(52)を外方よりドライバにより回し、可動スライダ(51)を回転させつつ、内方に移動させればよい。
【００５９】
上記実施形態では、脚体(１)における外脚(５)、中間内脚(６)及び内脚(７)を角筒状とするとともに、案内部材(37)のスリーブ(37a)も、外脚(５)及び中間内脚(６)に嵌合しうるように角筒状としているが、脚体(１)は、円筒状又は楕円筒状等であってもよく、この際には、案内部材(37)のスリーブ(37a)も、円筒又は楕円筒状とするとともに、その前後の内面に、中間内脚(６)及び内脚(７)の外周面と同一曲率をなす平面視円弧状の可動スライダを設ければよい。
【００６０】
また、上記実施形態では、スリーブ(37a)の前後の内面に１対の可動スライダ(42)(51)を設けているが、それらの一方を省略して実施することもある。
【００６１】
さらに、上記実施形態では、スリーブ(37a)の前後の対向面に可動スライダ(42)(51)を、左右の対向面に固定スライダ(47)を設けているが、固定スライダ(47)も可動スライダ(42)(51)とすることもある。
【００６２】
本発明は、上記のような２段式伸縮構造の脚体の外、外脚と１個の内脚とからなる１段式伸縮構造の脚体にも適用しうることは勿論である。
【図面の簡単な説明】
【００６３】
【図１】本発明を適用したテーブルの斜視図である。
【図２】同じく、一方の脚体の分解斜視図である。
【図３】中間内脚の下部の詳細を示す分解斜視図である。
【図４】案内部材の分解斜視図である。
【図５】図４のＶ−Ｖ線拡大横断平面図である。
【図６】図５のＶI−ＶI線拡大縦断側面図である。
【図７】同じく、可動スライダを内方に移動させたときの拡大縦断側面図である。
【図８】脚体が最下限位置にあるときの要部の縦断側面図である。
【図９】同じく、内脚が上限まで上昇したときの要部の縦断側面図である。
【図１０】同じく、脚体が上限位置まで伸長したときの要部の縦断側面図である。
【図１１】案内部材の変形例を示す縦断側面図である。
【符号の説明】
【００６４】
(１)脚体
(２)連結板
(３)天板
(４)ベース脚
(５)外脚
(６)中間内脚
(７)内脚
(８)厚肉部
(９)めねじ孔
(10)有底孔
(11)天板支持部材
(12)ボルト
(13)天板支持杆
(14)固定スライダ
(15)弾性突部
(16)嵌合孔
(17)固定スライダ
(18)弾性突部
(19)嵌合孔
(20)めねじ孔
(21)ボルト
(22)下限用ストッパ突部
(23)閉塞板
(24)引張りコイルばね
(25)係止孔
(26)係止ボルト
(26a)環状溝
(27)長孔
(28)昇降機構
(29)めねじ杆
(30)ねじ軸
(31)回転駆動部
(32)従動ベベルギヤ
(33)駆動ベベルギヤ
(34)止めねじ
(35)止めねじ
(36)駆動軸
(37)案内部材
(37a)スリーブ
(37b)カバー片
(38)突条
(39)凹条
(40)めねじ孔
(41)通孔
(42)可動スライダ
(42a)突条
(43)弾性突部
(44)凹孔
(45)ねじ
(46)通孔
(47)固定スライダ
(47a)弾性突片
(48)凹部
(49)取付孔
(50)皿ねじ
(51)可動スライダ
(52)おねじ
(53)めねじ孔
【図１】
2008029563.tif 000003
【図２】
2008029563.tif 000004
【図３】
2008029563.tif 000005
【図４】
2008029563.tif 000006
【図５】
2008029563.tif 000007
【図６】
2008029563.tif 000008
【図７】
2008029563.tif 000009
【図８】
2008029563.tif 000010
【図９】
2008029563.tif 000011
【図１０】
2008029563.tif 000012
【図１１】
2008029563.tif 000013
【手続補正書】
【提出日】平成18年7月28日(2006.7.28)
【手続補正１】
【補正対象書類名】図面
【補正対象項目名】図８
【補正方法】変更
【補正の内容】
【図８】
2008029563.tif 000014